(57)【要約】      （修正有）【課題】本考案は、長手方向に凹凸形状となったクッション体を備える寝具において、使用者に不安感を与えることなく、また、確実に使用者の体重を支えることができる寝具を提供することを目的とする。【解決手段】折畳みベッド１は、長手方向に延びる縦フレーム部４ａをクッション体６の下方に設置して、このクッション体６の側端面と縦フレーム部４ａの側面とを略面一となるように設定している。【選択図】図１
0003135017.tif 000002
【実用新案登録請求の範囲】
【請求項１】
長手方向に凹凸形状となったクッション体を備える寝具であって、
長手方向に延びる支持フレーム部材を前記クッション体の下方に設置して、
該クッション体の側端面と支持フレーム部材の側面とを略面一となるように設定した
寝具。
【請求項２】
前記寝具が折畳みベッドであって、
前記支持フレーム部材の下方に、折畳み操作用のハンドル部材を設け、
該ハンドル部材を、折畳みベッドの使用時に、前記支持フレーム部材の側面よりも幅方向内方側に位置するように設定した
請求項１記載の寝具。
【請求項３】
前記クッション体の上面を覆うクッション被覆部材を、各凸部ごとに各々設定して、
該クッション被覆部材を、凸部ごとに変更可能に構成した
請求項１又は２記載の寝具。
【請求項４】
前記支持フレーム部材の側面を覆うフレーム被覆部材を設定し、
該フレーム被覆部材を、前記クッション被覆部材とは別部材で変更可能に構成した
請求項３記載の寝具。
【請求項５】
前記フレーム被覆部材の上方にクッション体側面を覆うクッション側面被覆部材を設定し、
該クッション側面被覆部材とフレーム被覆部材をクッション体下方に折り込んで、該クッション体の側端面から内方側に１５乃至２０ｍｍの範囲で縫合した
請求項４記載の寝具。
【考案の詳細な説明】
【技術分野】
【０００１】
この考案は、寝具、特に、クッション体の表面を長手方向に凹凸形状に形成した寝具に関する。
【背景技術】
【０００２】
従来より、寝具においては、様々なものが提案されているが、例えば、下記特許文献１では、クッション体の表面を長手方向に凹凸形状に形成したマットレスが提案されている。
【０００３】
このように、長手方向に凹凸形状に形成したクッション体を寝具に用いた場合には、使用者が横臥した状態において、使用者の身体とクッション体との間に隙間が生じるため、通気性を高めることができ、快適性を高めることができるという利点がある。
【０００４】
【特許文献１】実開昭６２−９５７００号公報
【考案の開示】
【考案が解決しようとする課題】
【０００５】
ところで、こうした長手方向に凹凸形状に形成したクッション体をベッド等に用いる場合には、クッション体の下方に長手方向に延びる支持フレーム等を配置して、クッション体を支持することが考えられる。
【０００６】
このとき、通常のクッション体を用いる場合には、クッション体上面を広く見せるため、支持フレーム等を幅方向内方側にレイアウトして、クッション体の側端部を幅方向外方側に突出させるのが一般的である。
【０００７】
しかし、長手方向に凹凸形状に形成したクッション体を、支持フレーム等で支持する場合には、凹部の部分で、クッション体の厚みが薄いため、ベッド等の側方から見た場合に、クッション体が薄く感じられ、使用者に不安感を与えるおそれがある。
【０００８】
また、凹部の部分でクッション体が薄いことで、支持剛性も低下するため、クッション体の側端部で、安定して使用者の体重を支えられないおそれもある。
【０００９】
そこで、本考案は、長手方向に凹凸形状となったクッション体を備える寝具において、使用者に不安感を与えることなく、また、確実に使用者の体重を支えることができる寝具を提供することを目的とする。
【課題を解決するための手段】
【００１０】
この考案の寝具は、長手方向に凹凸形状となったクッション体を備える寝具であって、長手方向に延びる支持フレーム部材を前記クッション体の下方に設置して、該クッション体の側端面と支持フレーム部材の側面とを略面一となるように設定したものである。
【００１１】
上記構成によれば、クッション体の側端面と支持フレーム部材の側端面が略面一であるため、クッション体と支持フレーム部材が側端部で略一致することになる。  
このため、寝具の側方から見たときに、支持フレーム部材もクッション体と一体的に視認することができ、クッション体の凹部の部分においても、寝具のクッション体部分の厚みを感じることができる。  
また、支持フレーム部材がクッション体側端部の下方に位置するため、支持フレーム部材がクッション体側端部を確実に支持することができる。
【００１２】
この考案の一実施態様においては、前記寝具が折畳みベッドであって、前記支持フレーム部材の下方に、折畳み操作用のハンドル部材を設け、該ハンドル部材を、折畳みベッドの使用時に、前記支持フレーム部材の側面よりも幅方向内方側に位置するように設定したものである。  
上記構成によれば、クッション体等を折畳みベッドに適用した際に、ハンドル部材が支持フレーム部材の側面より幅方向内方側に位置することになる。  
このため、支持フレーム部材の側端面とクッション体の側端面を略面一した場合でも、ハンドル部材が支持フレーム部材より外方側に突出しないため、寝具への乗り降りの際に、ハンドル部材が邪魔になることはない。  
よって、寝具のクッション体部分の厚みをあるように感じさせつつも、寝具の乗り降りの利便性を高めることができる。
【００１３】
この考案の一実施態様においては、前記クッション体の上面を覆うクッション被覆部材を、各凸部ごとに各々設定して、該クッション被覆部材を、凸部ごとに変更可能に構成したものである。  
上記構成によれば、クッション被覆部材を各凸部ごとに変更可能に構成したことで、例えば、クッション体上面の色彩や材質等を、各凸部ごとで自由に変更することができる。  
よって、使用者の要望に応じて、クッション被覆部材を変更することが可能となり、寝具の表面をカラフルにした寝具等を得ることができる。
【００１４】
この考案の一実施態様においては、前記支持フレーム部材の側面を覆うフレーム被覆部材を設定して、該フレーム被覆部材を、前記クッション被覆部材とは別部材で変更可能に構成したものである。  
上記構成によれば、フレーム被覆部材をクッション被覆部材とは別部材で変更可能に構成したことで、フレーム部材の側面を覆うフレーム被覆部材についても、自由に変更することができる。  
よって、使用者の要望に応じて、フレーム被覆部材を自由に変更することが可能となり、寝具の側面をカラフルにした寝具等を得ることができる。
【００１５】
この考案の一実施態様においては、前記フレーム被覆部材の上方にクッション体側面を覆うクッション側面被覆部材を設定し、該クッション側面被覆部材とフレーム被覆部材をクッション体下方に折り込んで、該クッション体の側端面から内方側に１５乃至２０ｍｍの範囲で縫合したものである。  
上記構成によれば、クッション側面被覆部材とフレーム被覆部材との縫合位置がクッション体側端面から内方側に１５乃至２０ｍｍの範囲であるため、縫合位置があまり奥まった位置に設定されない。  
このため、クッション体と支持フレーム部材との間で被覆部材が口開き状態に変化しないため、寝具側部の見栄えが悪化することがない。  
よって、凹凸形状となったクッション体を備える寝具で、クッション体部分の厚みを感じさせながら、寝具側部の見栄えの悪化を防止することができる。
【考案の効果】
【００１６】
この考案によれば、寝具の側方から見たときに、支持フレーム部材もクッション体と一体的に視認することができ、クッション体の凹部の部分においても、寝具のクッション体部分の厚みを感じることができる。  
また、支持フレーム部材がクッション体の側端部の下方に位置するため、支持フレーム部材がクッション体側端部を確実に支持することができる。
【００１７】
よって、長手方向に凹凸形状となったクッション体を備える寝具において、使用者に不安感を与えることなく、また、確実に使用者の体重を支えることができる。
【考案を実施するための最良の形態】
【００１８】
以下、図面に基づいて本考案の実施形態を詳述する。  
まず、図１〜図３により本実施形態の寝具の全体構成について説明する。図１は寝具である折畳みベッドの全体斜視図、図２は折畳みベッドの側面図、図３は折り畳んだ状態の折畳みベッドの側面図である。なお、以下では、折畳みベッドの長手方向を「長手方向」として、折畳みベッドの幅方向を「幅方向」として説明する。
【００１９】
この折畳みベッド１は、２つの平面視略矩形形状のベッド担体２，３を備えており、これらを長手方向の中央で山折りに折畳めるように構成している。  
第一ベッド担体２と第二ベッド担体３は、金属パイプ等から構成される略矩形形状の第一基枠４と、第二基枠５と、その上方に発泡ウレタン等から構成されて長手方向に複数設置されるクッション体６と、第一基枠４とクッション体６を覆う第一カバー部材７と、第二基枠５とクッション体６を覆う第二カバー部材８と、を備えて構成している。また、第一基枠４と第二基枠５の側部には、折畳みベッド１を折畳んだ状態でロックするロック部材９を設けている。
【００２０】
まず、第一基枠４と第二基枠５は、長手方向に対称的な形状をしており、少なくとも幅方向側端位置で長手方向に延びる縦フレーム部４ａ，５ａと、長手方向端部位置で幅方向に延びる横フレーム部４ｂ（第二基枠の横フレーム部は開示せず）を備える。なお、図示しないが、クッション体６の下方には、さらに長手方向と幅方向に延びる複数のフレーム部材を備えている。
【００２１】
また、第一基枠４と第二基枠５は、下部にキャスターを備えたコーナー支持脚１０を角部に４つ設けている（図１では３つ開示）。そして、第一基枠４と第二基枠５の間の中央位置には、幅方向に延びる中央支持脚１１を設けている。
【００２２】
第一基枠４と第二基枠５の上面には、図２に示すように、ベニヤ製の矩形の平板部材１２を張設している。これにより、上方に位置する複数のクッション体６を下方から支持するように構成している。そして、各支持脚１０，１１間には、長手方向に延びる連結杆１３，１４を設けている。この連結杆１３，１４により、折畳みベッド１を折畳む際に各支持脚１０，１１を第一基枠４と第二基枠５と連動するように構成している。
【００２３】
なお、折畳み機構については、さらに、操作力を軽減するため等に、スプリング部材等を張架しているが、周知構造であるため、詳細な説明や図面は省略する。
【００２４】
縦フレーム部４ａ、５ａの下方には、ベッドの折畳み状態を保持するロック部材９を設けている。このロック部材９は、第一基枠４側に設けた長手方向に延びるハンドルロッド９１と、第二基枠５側に設けた逆ハット形状のストッパー９２とによって構成している。
【００２５】
次に、クッション体６は、幅方向に延びる略楕円形円柱状の発泡ウレタン部材によって形成しており、第一基枠４側に４つ、第二基枠５側に４つ、計８つを連続するように並設している（図２参照）。
【００２６】
このクッション体６の幅方向長さは、第一基枠４、第二基枠５の幅方向長さと略一致するように設定しており、後述するように、縦フレーム部４ａ、５ａの側面と略面一となるように形成している。
【００２７】
また、これらのクッション体６の大きさ、長さ等は、全て同じ寸法に設定されており、どの場所においても、同じクッション体６を使用することができるように構成している。
【００２８】
第一カバー部材７と第二カバー部材８は、図２に示すように、それぞれ、クッション体６を覆う上部カバー７Ａ、８Ａと基枠４、５を覆う下部カバー７Ｂ，８Ｂとを備えており、それぞれ、縫合した布製の袋状体で構成している。
【００２９】
上部カバー７Ａ、８Ａと下部カバー７Ｂ，８Ｂは、上下を縫合することによって、上下一体となっており、これにより、クッション体６と第一基枠４、クッション体６と第二基枠５をそれぞれ連結した状態としている。
【００３０】
図２、図３を利用して、この折畳みベッド１の使用状態（展開状態）と収納状態（折畳み状態）を説明する。  
折畳みベッド１を使用している状態では、図２に示すように、第一ベッド担体２と第二ベッド担体３が一直線状に展開しており、中央支持脚１１もフロア面Ｆに接地している。  
このように第一ベッド担体２と第二ベッド担体３が展開していることで、クッション体６が長手方向に連設されるため、ベッド上面が凹凸形状となり、使用者がこの上で横臥すると、使用者の身体とクッション体６との間に隙間が生じ、通気性を高めることができ、快適性を高めることができる。
【００３１】
この状態で、ハンドルロッド９１を上方に持ち上げ、仮想の一点鎖線に示すように、第一ベッド担体２と第二ベッド担体３が山折り方向に折り曲げると、折畳みベッド１は、図３に示すような折畳み状態となる。
【００３２】
図３のように、折畳みベッド１が折畳み状態となると、コーナー支持脚１０のみがフロア面Ｆに接地して、中央支持脚１１が上方位置に持ち上がることになる。これにより、折畳みベッド１の占有スペースがコンパクトになり、省スペースで折畳みベッド１を収納できる。また、キャスターを備えたコーナー支持脚１０が接地しているため、折畳みベッド１を収納位置に自由に移動することができる。
【００３３】
また、この折畳み状態は、ハンドルロッド９１とストッパー９２によって構成されるロック部材９によって固定保持される。このため、折畳みベッド１は、折畳み状態を安定して維持することができる。
【００３４】
図４で、ロック部材の詳細構造について説明する。図４は、ロック部材の詳細斜視図である。
【００３５】
このロック部材９は、前述のようにハンドルロッド９１とストッパー９２によって構成している。
【００３６】
ハンドルロッド９１は、丸パイプのロッド部材で構成して、第一基枠４の側部下面に２つの取付ブラケット９３によって取り付けている。このハンドルロッド９１は、取付ブラケット９３を回転中心として略９０度回動するように設定しており、折畳み操作時には引き出し、ベッド使用時と収納時には内方側に倒すように設定している。
【００３７】
このハンドルロッド９１の下部（ベッド使用時には側端部）には、略Ｌ字状の係合プレート９４を接合しており、この係合プレート９４を第二基枠５（図２参照）の側部下面に設けたストッパー９２に係合するようにしている。
【００３８】
また、このストッパー９２は、図示するように、略ハット形状のプレート部材で形成しており、係合プレート９４を係止するように構成している。
【００３９】
このように構成したロック部材９は、折畳みベッド１を折畳んだ状態で、ハンドルロッド９１を一点鎖線で示すように回動することで、係合プレート９４をストッパー９２に係止することができるため、第一ベッド担体２と第二ベッド担体３とを固定することができ、折畳み状態を固定保持することができる。
【００４０】
次に、第一カバー部材の下部カバーと上部カバーとの構造について、図５、図６によって説明する。図５は図１のＡ−Ａ線矢視断面図、図６は図１のＢ−Ｂ線矢視断面図である。なお、これらの断面図は、分かり易くするため、第一カバー部材７と他の部材との隙間を大きく記載している。また、第二カバー部材８の構成についても同様であるため、第二カバー部材８の説明は省略する。
【００４１】
第一カバー部材７の上部カバー７Ａは、クッション体６の上部を覆うクッション上部被覆材２１と、クッション体６の側部を覆うクッション側部被覆材２２と、クッション体６の下部を覆うクッション下部被覆材２３とを備え、これらの被覆材によってクッション体６を収納するクッション収納空間Ｑを構成している。また、このクッション収容空間Ｑを開閉するクッションファスナー２４をクッション下部被覆材２３に設けている。
【００４２】
クッション上部被覆材２１は、各クッション体６上面を覆う一枚の矩形の布部材によって構成している。このクッション上部被覆材２１は、側端部を図５に示すようにクッション側部被覆材２２と上部位置で縫合糸Ｔで縫合されて、長手方向端部を図６に示すように、隣接するクッション上部被覆材２１とクッション下部被覆材２３とに縫合されている。
【００４３】
このように、クッション上部被覆材２１を各クッション体６ごとに設定しているため、各クッション体６ごとに、クッション上部被覆材２１を変更することができる。このため、クッション体６ごとに色彩を変更できるので、ベッド上面をカラフルなものにすることができる。
【００４４】
よって、使用者の要求に応じて、オーダーメイド的にベッド上面の布部材を変更できる折畳みベッド１にすることができる。例えば、８つのクッション体６に対応して色彩を虹色に変更したり、徐々に色彩の濃淡を変更して色彩をグラデーション的に変更したり、さらに、布部材の吸水性や撥水性等を変更して使用者の快適性を高めることができる。
【００４５】
クッション側部被覆材２２は、上下方向に短く且つ幅方向に長い一体の「さやえんどうまめ型」の布部材によって形成している（図４参照）。そして、図５に示すように、上部をクッション上部被覆材２１に縫合して、下部をクッション下部被覆材２３等に縫合している。こうして、クッション体６の側部を覆っている。
【００４６】
クッション下部被覆材２３は、各クッション体６の下面を覆う矩形の布部材によって構成している。このクッション下部被覆材２３は、側端部を図５に示すようにクッション側部被覆材２２と下部位置で縫合されて、長手方向端部を図６に示すように、隣接するクッション下部被覆材２３とクッション上部被覆材２１とに縫合されている。
【００４７】
クッションファスナー２４は、クッション下部被覆材２３の中央位置で幅方向に延びるように設けており、クッション下部被覆材２３の中央位置の開口部２５が開閉自在となるように構成している。このクッションファスナー２４を開閉することで、各クッション収容空間にクッション体６を出し入れできるようにしている。
【００４８】
一方、下部カバー７Ｂは、第一基枠の縦フレーム部４ａの側部を覆うフレーム側部被覆材３１と、第一基枠４の横フレーム部４ｂの端部（側部）を覆うフレーム端部被覆材３２と、第一基枠４の下部を覆う基枠下部被覆材３３とを備え、これらの被覆材３１，３２，３３によって第一基枠４を収納する基枠収納空間Ｒを構成している。また、この基枠収納空間Ｒを開閉するフレームファスナー３４を基枠下部被覆材３３に設けている。  
なお、第一基枠４の周囲には、スポンジ材Ｓを包装することで、第一基枠４のゴツゴツ感を無くしている。
【００４９】
フレーム側部被覆材３１は、第一基枠４の縦フレーム部の側方で上下方向に短く且つ長手方向に長い帯状の布部材によって形成している（図４参照）。そして、図５に示すように、上部をクッション側部被覆材２２とクッション下部被覆材２３とに縫合している。
【００５０】
この縫合位置Ｗでは、各布部材をクッション体６の下方に折り込んで、クッション体６の側面から約１５ｍｍ〜２０ｍｍまでの範囲Ｘ内で縫合ポイントＰを設定している。
【００５１】
このように、縫合ポイントＰを設定することで、クッション体６と第一基枠４の間に折り込み部分を形成しながら、大きく奥まった位置で縫合していないため、各被覆材２２，３１が口開き変形するのを防ぐことができる。
【００５２】
また、フレーム側部被覆材３１の下部は、フレームファスナー３４の縫い代３４ａに縫合している（なお、基枠下部被覆材３４に縫合してもよい）。
【００５３】
なお、このフレーム側部被覆材３１についても、色彩を他の被服材と変更するように設定して寝具の側面をカラフルにしてもよい。
【００５４】
フレーム端部被覆材３２は、第一基枠４の横フレーム部４ｂの側方で上下方向に短く且つ長手方向に長い帯状の布部材によって形成している（図４、図６参照）。そして、図６に示すように、上部をクッション下部被覆材２３に縫合して、下部をフレームファスナー３４の縫い代３４ａに縫合している（なお、基枠下部被覆材３３に縫合してもよい）。
【００５５】
基枠下部被覆材３３は、第一基枠４の下方で全域に広がる矩形の布部材によって構成している。周囲等をフレームファスナー３４の縫い代３４ａやフレーム側部被覆材３１等に縫合している（図５、図６では、一部のみ開示）。
【００５６】
フレームファスナー３４は、基枠下部被覆材３３の周囲三方にわたって設けており、基枠下部被覆材３３の周囲の開口部３５が開閉自在となるように構成している。このフレームファスナー３４を開閉することで、基枠収容空間Ｒに第一基枠４を抜き差しできるようにしている。
【００５７】
次に、このように構成した第一カバー部材７の組付け方法について説明する。
【００５８】
まず、初めに、上部カバー７Ａのクッション収納空間Ｑに、各々、クッション体６を一つずつ投入する。これにより、ベッド上面の凹凸部分を形成する。そして、クッションファスナー２４を閉じることで、上部カバー７Ａにクッション体６を固定する。
【００５９】
次に、下部カバー７Ｂの基枠収納空間Ｒに第一基枠４を差込み、第一カバー部材７を第一基枠４に組付ける。そして、フレームファスナー３５を閉じることで、第一カバー部材７の折畳みベッド１への組付けを完了する。
【００６０】
このようにして、折畳みベッド１を構成することにより、図５に示すように、クッション体６の側端面と第一基枠４の縦フレーム部４ａの側面とを、略面一になるように設定している（Ｚが面一ライン）。
【００６１】
このため、側面視で、ベッド上面が凹凸形状でなって凹部では薄く感じられるクッション部部分が厚みを持つように感じることができる（図２参照）。また、クッション体６の側部での支持剛性も高めることができる。
【００６２】
また、図５に示すように、ハンドルロッド９１は縦フレーム部４ａの側面よりも車幅方向内方側に位置するように設定している。このため、ハンドルロッド９１が折畳みベッド１への乗り降りの際に、邪魔になることがない。
【００６３】
次に、このように構成された本実施形態の作用効果について説明する。  
この実施形態の折畳みベッド１は、長手方向に延びる縦フレーム部４ａをクッション体６の下方に設置して、このクッション体６の側端面と縦フレーム部４ａの側面とを略面一となるように設定している。
【００６４】
これにより、クッション体６と縦フレーム部４ａが側部で略一致することになる。  
このため、折畳みベッド１の側方から見たときに、縦フレーム部４ａもクッション体６と一体的に視認することができ、クッション体６の凹部の部分においても、折畳みベッド１のクッション体６部分の厚みを感じることができる。  
また、縦フレーム部４ａがクッション体６の側部の下方に位置するため、縦フレーム部４ａがクッション体６の側部を確実に支持することができる。  
よって、長手方向に凹凸形状となったクッション体６を備える折畳みベッド１において、使用者に不安感を与えることなく、また、確実に使用者の体重を支えることができる。
【００６５】
また、この実施形態では、縦フレーム部４ａの下方に、ハンドルロッド９１を設け、このハンドルロッド９１を、折畳みベッド１の使用時に、縦フレーム部４ａの側面よりも幅方向内方側に位置するように設定している。  
これにより、ハンドルロッド９１が縦フレーム部４ａの側面より幅方向内方側に位置することになる。  
このため、縦フレーム部４ａの側面とクッション体６の側端面を略面一した場合でも、ハンドルロッド９１が縦フレーム部４ａより外方側に突出しないため、折畳みベッド１への乗り降りの際に、ハンドルロッド９１が邪魔になることはない。  
よって、折畳みベッド１のクッション体６部分の厚みをあるように感じさせつつも、折畳みベッド１の乗り降りの利便性を高めることができる。
【００６６】
また、この実施形態では、クッション体６の上面を覆うクッション上部被覆材２１を、各クッション体６ごとに各々設定して、このクッション上部被覆材２１を、クッション体６ごとに変更可能に構成している。  
これにより、クッション上部被覆材２１を各クッション体６ごとに変更可能であるため、クッション体６上面の色彩や材質等を、各凸部ごとで自由に変更することができる（図１参照）。  
よって、使用者の要望に応じて、クッション上部被覆材２１を変更することが可能となり、ベッド表面をカラフルにした折畳みベッド１を得ることができる。
【００６７】
また、この実施形態では、縦フレーム部４ａの側面を覆うフレーム側部被覆材３１を別部材に変更可能に構成している。  
これにより、縦フレーム部４ａの側面を覆うフレーム側部被覆材３１についても、自由に変更することができる。  
よって、使用者の要望に応じて、フレーム側部被覆材３１を自由に変更することが可能となり、ベッド側面についてもカラフルにした折畳みベッド１等を得ることができる。
【００６８】
また、この実施形態では、フレーム側部被覆材３１の上方にクッション体６側面を覆うクッション側面被覆材２２を設定し、このクッション側面被覆材２２とフレーム側部被覆材３１をクッション体６下方に折り込んで、このクッション体６の側端面から内方側に１５〜２０ｍｍの範囲で縫合するようにしている。
【００６９】
これにより、縫合位置があまり奥まった位置に設定されない。  
このため、クッション体６と縦フレーム部４ａとの間で各被覆材２２，２３が口開き状態に変化しないため、折畳みベッド１側部の見栄えが悪化することがない。  
よって、凹凸形状となったクッション体６を備える折畳みベッド１で、クッション体６部分の厚みを感じさせながら、ベッド側部の見栄えの悪化を防止することができる。
【００７０】
以上、この考案の構成と前述の実施形態との対応において、
この考案の寝具は、実施形態の折畳みベッド１に対応し、
以下、同様に、
支持フレーム部材は、縦フレーム部材４ａ、５ａに対応し、
ハンドル部材は、ハンドルロッド９１に対応し、
クッション被覆部材は、クッション上部被覆材２１に対応し、
フレーム被覆部材は、フレーム側部被覆材３１に対応するも、
この考案は、前述の実施形態に限定されず、折畳みベッドだけでなく、あらゆるタイプの寝具に適用する実施形態を含むものである。
【図面の簡単な説明】
【００７１】
【図１】本実施形態の折畳みベッドの全体斜視図。
【図２】折畳みベッドの側面図。
【図３】折り畳んだ状態の折畳みベッドの側面図。
【図４】ロック部材の詳細斜視図。
【図５】図１のＡ−Ａ線矢視断面図。
【図６】図１のＢ−Ｂ線矢視断面図。
【符号の説明】
【００７２】
１…折畳みベッド
４ａ…縦フレーム部
５ａ…縦フレーム部
６…クッション体
２１…クッション上部被覆材
２２…クッション側部被覆材
３１…フレーム側部被覆材
９１…ハンドルロッド
【図１】
0003135017.tif 000003
【図２】
0003135017.tif 000004
【図３】
0003135017.tif 000005
【図４】
0003135017.tif 000006
【図５】
0003135017.tif 000007
【図６】
0003135017.tif 000008